【事件の表示】
　平成　７年特許願第２９４５３９号「高効率独立冷却サイクル（Ｈｉｇｈ  ｅｆｆｉｃｉｅｎｃｙ  Ｍｕｌｔｉ−ｅｖａｐｏｒａｔｏｒｃｙｃｌｅ：Ｈ．Ｍ．ＣＹＣＬＥ）を持つ冷蔵庫及びその運転制御方法」拒絶査定に対する審判事件［平成　８年　８月２０日出願公開、特開平　８−２１０７５１］について、次のとおり審決する。
【結　論】
　本件審判の請求は、成り立たない。
【理　由】
１．手続の経緯
（１）本願は、平成７年１１月１３日（パリ条約による優先権主張１９９４年１１月１１日、大韓民国）の特許出願である。
（２）平成１０年１月５日でなされた手続補正に対しては、平成１２年３月２７日付けで補正の却下の決定がなされた。
　
２．本願発明
　したがって、本願の各請求項に係る発明は、平成９年４月１日付けの手続補正書によって補正された明細書及び図面の記載からみて、その特許請求の範囲の請求項１〜６に記載された次のとおりのものと認める。
「【請求項１】　冷凍サイクルを有し、高効率独立冷却サイクルを持つ冷蔵庫において、
　各々独立区画されて分離された冷凍室及び冷蔵室と、
　冷媒を圧縮して供給する圧縮機と、
　圧縮された冷媒を凝縮する凝縮機と、
　凝縮された冷媒を膨張させる毛細管と、
　前記冷凍室に設置され、前記毛細管から流出した冷媒の一部を蒸発させる所定容量の第１の蒸発器と、
　前記冷蔵室に設置され、前記第１の蒸発器から流出した冷媒を、蒸発していない残りを蒸発させて前記圧縮機へ戻す所定容量の第２の蒸発器と、
　前記第１の蒸発器に隣接して設置され、電源印加時に前記冷凍室内の冷気循環を誘導する第１のファンと、
　前記第２の蒸発器に隣接して設置され、電源印加時に前記冷蔵室内の冷気循環を誘導する第２のファンと、
　前記圧縮機、第１のファン及び第２のファンが、それぞれ並列に接続される電源と、
　前記圧縮機、第１のファン及び第２のファンの前記電源との接続を制御するスイッチ手段と、
　前記冷凍室又は冷蔵室のいずれか一方の室の温度を設定する温度設定手段と、
　温度が設定された前記一方の室に設置され、温度を感知する温度感知手段と、
　前記温度感知手段からの温度感知信号に基づいて、前記スイッチ手段の作動を制御することにより、前記圧縮機、第１のファン及び第２のファンの作動を制御する制御部と
　を具備する高効率独立冷却サイクルを持つ冷蔵庫。
　　【請求項２】　前記温度感知手段によって感知された温度が設定温度より高い場合、前記スイッチ手段がオンとなり、前記圧縮機、第１のファン及び第２のファンが同時に作動されるべく成したことを特徴とする、請求項１記載の高効率独立冷却サイクルを持つ冷蔵庫。
　　【請求項３】　前記温度感知手段によって感知された温度が設定温度より低い場合、前記スイッチ手段がオフになり、前記圧縮機、第１のファン及び第２のファンが同時に停止されるべく成したことを特徴とする、請求項１記載の高効率独立冷却サイクルを持つ冷蔵庫。
　　【請求項４】　各々独立区画されて分離された冷凍室及び冷蔵室と、冷媒を圧縮して供給する圧縮機と、圧縮された冷媒を凝縮する凝縮機と、凝縮された冷媒を膨張させる毛細管と、前記冷凍室に設置され、前記毛細管から流出した冷媒の一部を蒸発させる所定容量の第１の蒸発器と、前記冷蔵室に設置され、前記第１の蒸発器から流出した冷媒を、蒸発していない残りを蒸発させて前記圧縮機へ戻す所定容量の第２の蒸発器と、前記第１の蒸発器に隣接して設置され、電源印加時に前記冷凍室内の冷気循環を誘導する第１のファンと、前記第２の蒸発器に隣接して設置され、電源印加時に前記冷蔵室内の冷気循環を誘導する第２のファンと、前記圧縮機、第１のファン及び第２のファンが、それぞれ並列に接続される電源と、前記圧縮機、第１のファン及び第２のファンの前記電源との接続を制御するスイッチ手段と、前記冷凍室又は冷蔵室のいずれか一方の室の温度を設定する温度設定手段と、温度が設定された前記一方の室に設置され、温度を感知する温度感知手段と、により構成された高効率独立冷却サイクルを持つ冷蔵庫の運転制御方法において、
　前記温度感知手段からの温度感知信号を所定時間毎に読み込む段階と、
　該感知された温度を、前記温度設定手段によって設定した温度と比較する段階と、
　比較結果に基づいて、前記スイッチ手段の作動を制御することにより、前記圧縮機、第１のファン及び第２のファンの作動を制御する段階と
　を有する高効率独立冷却サイクルを持つ冷蔵庫の運転制御方法。
　　【請求項５】　前記比較結果において感知温度が設定温度より高い場合、前記圧縮機、第１のファン及び第２のファンの作動を誘導する段階を有することを特徴とする、請求項４記載の高効率独立冷却サイクルを持つ冷蔵庫の運転制御方法。
　　【請求項６】　前記比較結果において感知温度が設定温度より低い場合、前記圧縮機、第１のファン及び第２のファンの作動を停止せしめる段階を有することを特徴とする、請求項４記載の高効率独立冷却サイクルを持つ冷蔵庫の運転制御方法。」
　
３．引用例
　これに対して、原査定の拒絶の理由に引用された、本願の優先権主張の日前に頒布された
　　実公昭４７−３９４２２号公報（以下「引用例１」という。）には、
「第１図は本考案の一実施例における二温度式冷蔵庫の冷却回路図、」と記載されている。（引用例１第１欄１３，１４行）　また、同欄１７〜３８行には「本考案は冷蔵庫本体内に　〜　所定の低温度に保つものである。」と記載されており、同引用例第２欄４〜１１行には「前述の構成により、切換スイツチ１０を　〜両送風機７，８の運転を停止させて冷却運転を停止する」と記載されている。同欄１２行〜第３欄７行には「次いで冷凍室Ｂ内に冷凍食品を　〜　実用的効果の大なるものである。」と記載されている。同引用例第２図には、「サーモスタツト９」としてスイッチの記号が記載されている。
　
　また、原査定の拒絶の理由に引用された、本願の優先権主張の日前に頒布された
　　特開平４−１９４５６９公報（以下「引用例２」という）には、
「第７図に示された冷凍冷蔵庫では　〜　各室内を独自に冷却している。」と記載されている（引用例２第２ページ左下欄１７〜２０行）。また、引用例２第５ページ左下欄１〜１５行には「前記Ｆサーミスタ１４および　〜　各室の冷却状態を維持する。」と記載されている。同引用例２第６ページ左上欄１４行〜右上欄３行には、「まず、マイクロコンピュータ１２のＣＰＵは、　〜　ステップＳ１５移行の処理に分岐する。」と記載されている。
　
４．対比・判断
（１）請求項１に係る発明について
　本願の請求項１に係る発明を上記引用例１に記載された発明と対比すると、
　引用例１に記載された発明における、「電動圧縮機」、「第１毛細管３」、「冷凍室用蒸発器６」、「冷蔵用蒸発器４」、「冷凍室用送風機７」、「冷蔵用送風機８」および「第２図に図番９で示されたスイッチ記号」は、それぞれ、本願発明における、「圧縮機」、「毛細管」、「第１の蒸発器」、「第２の蒸発器」、「第１のファン」、「第２のファン」および「スイッチ手段」に相当する。
　請求項１には「高効率独立冷却サイクルを持つ冷蔵庫において」と記載されている。
　これに対して、引用例１第１欄１３，１４行には「第１図は本考案の一実施例における二温度式冷蔵庫の冷却回路図、」と記載されており、同欄２４〜２８行には「１は電動圧縮機で凝縮器２、第１毛細管３、冷蔵室用蒸発器４、第２毛細管５および冷凍室用蒸発器６等を順次環状に連設した二段蒸発方式によって冷蔵室Ａおよび冷凍室Ｂを所定の低温度に冷却するものである。」と記載されている。これらの記載中には「冷却回路（冷却サイクル）を持つ冷蔵庫」が開示されている。
　また、請求項１の上記記載中の「・・・独立冷却・・・」に関しては、引用例１第２欄４〜１１行の「前述の構成により、切換スイツチ１０を　〜両送風機７，８の運転を停止する」という記載、および同欄１２行〜第３欄７行の「次いで冷凍室Ｂ内に冷凍食品を　〜　実用的効果の大なるものである。」という記載中に、「冷蔵室Ａを冷蔵室用蒸発器４で冷却し、冷凍室Ｂを冷凍室用蒸発器６で冷却する」という内容が示されている。しかも、このように「冷蔵室を冷蔵室用蒸発器で、冷凍室を冷凍室用蒸発器で冷却する」にあたり、それぞれ各室を独立して冷却することは、冷蔵庫の技術分野では周知の事項であり、自明である。（もし、必要であれば、
　　引用例２第２ページ左下欄１７〜２０行
を参照。）　
　さらに、請求項１の上記記載中の「高効率・・・」に関しては、引用例１で、必ずしも「高効率」という文章表現がなされているわけではない。然るに、本願発明で言う「高効率」とは、本願明細書【０００６】及び【０００７】欄の記載からみて、“複数の蒸発器を用いて冷凍室と冷蔵室を個別的に温度制御し、もって各室の負荷変動等による温度変化に対して迅速に対応できる”を意味していると認められる。ところが引用例１の発明でも、上記のように、冷蔵室用蒸発器４と冷凍室用蒸発器６の複数の蒸発器を用いて各室を個別的に冷却しているのは自明であるから、やはり「高効率」であると認められる。
　請求項１には「前記圧縮機、第１のファン及び第２のファンの前記電源との接続を制御するスイッチ手段」と記載されている。これに対し、引用例１第２欄８〜１１行には「そして冷蔵室Ａ内の温度が所定の低温度になると前記サーモスタット９が解放して電動圧縮機１および両送風機７，８の運転を停止させて冷却運転を停止する」と同様な内容が開示されている。しかも、引用例１第２図には、「サーモスタツト９」としてスイッチの記号が記載されている。
　また、請求項１には「前記圧縮機、第１のファン及び第２のファンが、それぞれ並列に接続される電源」と記載されている。これに対し、引用例１第１欄３０〜３４行には「８は冷蔵室Ａ内に設け、この冷凍室Ａ内（「冷蔵室Ａ内」の誤記と思われる。）を強制通風して冷却する冷蔵室用送風機であり、・・・（中略）・・・前記冷凍室用送風機７とともに電動圧縮機１と並列回路を形成している。」と記載されており、同引用例第２図には、このような並列回路を含む電気回路が開示されている。しかも、同図に示されているような電気回路が電源に接続されることは自明である。（もし、必要であれば、
　　　実公昭４７−３９３９０号公報（特に第２図）
　　　実公昭４４−１９９７３号公報（特に第２図）
　　　実公昭４４−６８２号公報（特に第２図）
等を参照。）　
　
　したがって、両発明の一致点・相違点は以下の通りであると認められる。
《一致点》
「冷凍サイクルを有し、高効率独立冷却サイクルを持つ冷蔵庫において、
　各々独立区画されて分離された冷凍室及び冷蔵室と、
　冷媒を圧縮して供給する圧縮機と、
　圧縮された冷媒を凝縮する凝縮機と、
　凝縮された冷媒を膨張させる毛細管と、
　前記冷凍室に設置された、所定容量の第１の蒸発器と、
　前記冷蔵室に設置された、所定容量の第２の蒸発器と、
　前記第１の蒸発器に隣接して設置され、電源印加時に前記冷凍室内の冷気循環を誘導する第１のファンと、
　前記第２の蒸発器に隣接して設置され、電源印加時に前記冷蔵室内の冷気循環を誘導する第２のファンと、
　前記圧縮機、第１のファン及び第２のファンが、それぞれ並列に接続される電源と、
　前記圧縮機、第１のファン及び第２のファンの前記電源との接続を制御するスイッチ手段と、
　前記圧縮機、第１のファン及び第２のファンの作動を制御する制御部と
　を具備する高効率独立冷却サイクルを持つ冷蔵庫。」
　
《相違点１》
本願の請求項１に係る発明では、「冷凍室に設置され、毛細管から流出した冷媒の一部を蒸発させる所定容量の第１の蒸発器と、
　冷蔵室に設置され、前記第１の蒸発器から流出した冷媒を、蒸発していない残りを蒸発させて圧縮機へ戻す所定容量の第２の蒸発器と」を具備するのに対し、
　引用例１に記載された発明では、２つの蒸発器（冷蔵室用蒸発器４および冷凍室用蒸発器６）が、このような冷媒の流れを可能とする順になっていない点。
　
《相違点２》
　本願の請求項１に係る発明では、
「冷凍室又は冷蔵室のいずれか一方の室の温度を設定する温度設定手段と、
　温度が設定された前記一方の室に設置され、温度を感知する温度感知手段と、
　前記温度感知手段からの温度感知信号に基づいて、スイッチ手段の作動を制御する制御部と」を具備するのに対し、
　引用例１に記載された発明では、「サーモスタツト９」には、第２図の記載からも明らかなようにスイッチの機能があるが、温度設定手段や温度感知手段は示されていない点。
　
　以下、上記相違点１，２について検討する。
《相違点１について判断》
　毛細管から流出した冷媒の一部を冷凍室用蒸発器で蒸発させ、この冷凍室用蒸発器から流出した、蒸発していない残りの冷媒を冷蔵室用蒸発器で蒸発させ、圧縮機へ戻すような順に各蒸発器および圧縮機を接続する技術は、
　　特開昭６１−３８３７９号公報（特に第２図参照。）
　　特開昭５２−４８１４５号公報（特に第２図参照。）
　　特開昭４７−２３９４３号公報（特に第２図参照。）
　　実公昭４４−６８２号公報（特に第１図参照。）
等にも記載されているように周知のものにすぎない。このような、本願の優先日前の技術水準を考慮すると、相違点１における本願の請求項１に係る発明の構成は、容易に想到できる範囲内の事項にすぎない。
　
《相違点２についての判断》
　サーモスタツトが、温度設定手段や温度感知手段を持つこと、あるいは、温度感知手段からの情報に基づいて、前記スイッチ手段の作動を制御することは、
　　特開昭６３−１５０７６号公報（特に、第２ページ左下欄１１〜１６行、および同欄１７行〜同ページ右下欄２行参照。）
　　実願昭５８−１８９３６８号（実開昭６０−９６５８４号）のマイクロフイルム（特に、明細書第２ページ９〜１３行参照。）
　　実願昭５５−７８１３７号（実開昭５７−２３９６号）のマイクロフイルム（特に、明細書第１ページ最終行〜第２ページ１行参照。）
　　実願昭５４−１１８０１２号（実開昭５６−３６０８９号）のマイクロフイルム（特に、明細書第２ページ１２〜１５行、第３ページ２，３行、および同ページ１１〜１３行参照。）
　　実公昭４７−１５７３５号公報（特に、第２欄７〜１０行、および、同欄２６，２７行参照。）
等にも記載されているように周知の事項にすぎない。　このような、本願の優先日前の技術水準を考慮すると、相違点２における本願の請求項１に係る発明の構成は、容易に想到できる範囲内の事項にすぎない。　
　本願の請求項１に係る発明の効果は、上記引用例１記載の事項から当業者が容易に予測できる程度のものである。
　したがって、本願の請求項１に係る発明は、引用例１に記載された発明に基づいて当業者が容易になし得るものである。
　
（２）請求項２に係る発明について
　本願の請求項２に係る発明は、「請求項１記載の高効率独立冷却サイクルを持つ冷蔵庫。」を「前記温度感知手段によって感知された温度が設定温度より高い場合、前記スイッチ手段がオンとなり、前記圧縮機、第１のファン及び第２のファンが同時に作動されるべく成したことを特徴とする」と限定するものである。
　しかし、引用例１第１欄３４〜３８行には「９は冷蔵室Ａ内の温度を検出して前記電動圧縮機１および前記各送風機７，８を運転制御するサーモスタットで、冷蔵室Ａおよび冷凍室Ｂを所定の低温度保つものである。」と記載されており、第２欄１４〜２０行には「サーモスタット９が閉じると電動圧縮機１および　〜　極めて低速回転を続けるとともに」と記載されている。また、第２図の記載から、サーモスタット９が閉じると、電動圧縮機１，冷凍室用送風機７および冷蔵室用送風機８が同時に運転することは明らかである。
　したがって、本願の請求項２に記載された上述の限定と同様な内容は、引用例１に開示されており、同項に係る発明は、引用例１に記載された発明に基づいて当業者が容易になし得るものである。
　
（３）請求項３に係る発明について
　本願の請求項３に係る発明は、「請求項１記載の高効率独立冷却サイクルを持つ冷蔵庫。」を「前記温度感知手段によって感知された温度が設定温度より低い場合、前記スイッチ手段がオフになり、前記圧縮機、第１のファン及び第２のファンが同時に停止されるべく成したことを特徴とする」と限定するものである。
　しかし、引用例１第１欄３４〜３８行には「９は冷蔵室Ａ内の温度を検出して前記電動圧縮機１および前記各送風機７，８を運転制御するサーモスタットで、冷蔵室Ａおよび冷凍室Ｂを所定の低温度保つものである。」と記載されており、第２欄８〜１１行には「冷蔵室Ａ内の温度が所定の低温度になると前記サーモスタット９が開放して電動圧縮機１および両送風機７，８の運転を停止させて冷却運転を停止する」と記載されている。
　したがって、本願の請求項３に記載された上述の限定と同様な内容は、引用例１に開示されており、同項に係る発明は、引用例１に記載された発明に基づいて当業者が容易になし得るものである。
　
（４）請求項４に係る発明について
　本願の請求項４に係る発明と上記引用例１に記載された発明とを対比すると、
　引用例１に記載された発明における、「電動圧縮機」、「第１毛細管３」、「冷凍室用蒸発器６」、「冷蔵用蒸発器４」、「冷凍室用送風機７」、「冷蔵用送風機８」および「第２図に図番９で示されたスイッチ記号」は、それぞれ、本願の請求項４に係る発明における、「圧縮機」、「毛細管」、「第１の蒸発器」、「第２の蒸発器」、「第１のファン」、「第２のファン」および「スイッチ手段」に相当する。
　請求項４には「高効率独立冷却サイクルを持つ冷蔵庫において」と記載されている。
　これに対して、引用例１第１欄１３，１４行には「第１図は本考案の一実施例における二温度式冷蔵庫の冷却回路図、」と記載されており、同欄２４〜２８行には「１は電動圧縮機で凝縮器２、第１毛細管３、冷蔵室用蒸発器４、第２毛細管５および冷凍室用蒸発器６等を順次環状に連設した二段蒸発方式によって冷蔵室Ａおよび冷凍室Ｂを所定の低温度に冷却するものである。」と記載されている。これらの記載中には「冷却回路（冷却サイクル）を持つ冷蔵庫」が開示されている。
　また、請求項４の上記記載中の「・・・独立冷却・・・」に関しては、引用例１第２欄４〜１１行の「前述の構成により、切換スイツチ１０を　〜両送風機７，８の運転を停止する」という記載、および同欄１２行〜第３欄７行の「次いで冷凍室Ｂ内に冷凍食品を　〜　実用的効果の大なるものである。」という記載中に、「冷蔵室Ａを冷蔵室用蒸発器４で冷却し、冷凍室Ｂを冷凍室用蒸発器６で冷却する」という内容が示されている。しかも、このように「冷蔵室を冷蔵室用蒸発器で、冷凍室を冷凍室用蒸発器で冷却する」にあたり、それぞれ各室を独立して冷却することは、冷蔵庫の技術分野では周知の事項であり、自明である。（もし、必要であれば、
　　引用例２第２ページ左下欄１７〜２０行
を参照。）　
　さらに、請求項４の上記記載中の「高効率・・・」に関しては、引用例１で、必ずしも「高効率」という文章表現がなされているわけではない。然るに、本願発明で言う「高効率」とは、本願明細書【０００６】及び【０００７】欄の記載からみて、“複数の蒸発器を用いて冷凍室と冷蔵室を個別的に温度制御し、もって各室の負荷変動等による温度変化に対して迅速に対応できる”を意味していると認められる。ところが引用例１の発明では、冷蔵室用蒸発器４と冷凍室用蒸発器６の複数の蒸発器を用いて各室を個別的に冷却しているのは、上記のように自明であるから、やはり「高効率」であると認められる。
　請求項４には「前記圧縮機、第１のファン及び第２のファンの前記電源との接続を制御するスイッチ手段」と記載されている。これに対し、引用例１第２欄８〜１１行には「そして冷蔵室Ａ内の温度が所定の低温度になると前記サーモスタット９が解放して電動圧縮機１および両送風機７，８の運転を停止させて冷却運転を停止する」と同様な内容が開示されている。しかも、引用例１第２図には、「サーモスタツト９」としてスイッチの記号が記載されている。
　また、請求項４には「前記圧縮機、第１のファン及び第２のファンが、それぞれ並列に接続される電源」と記載されている。これに対し、引用例１第１欄３０〜３４行には「８は冷蔵室Ａ内に設け、この冷凍室Ａ内（「冷蔵室Ａ内」の誤記と思われる。）を強制通風して冷却する冷蔵室用送風機であり、・・・（中略）・・・前記冷凍室用送風機７とともに電動圧縮機１と並列回路を形成している。」と記載されており、同引用例第２図には、このような並列回路を含む電気回路が開示されている。しかも、同図に示されているような電気回路が電源に接続されることは自明である。（もし、必要であれば、
　　　実公昭４７−３９３９０号公報（特に第２図）
　　　実公昭４４−１９９７３号公報（特に第２図）
　　　実公昭４４−６８２号公報（特に第２図）
等を参照。）
　請求項４には「比較結果に基づいて、前記スイッチ手段の作動を制御することにより、前記圧縮機、第１のファン及び第２のファンの作動を制御する段階」と記載されている。これに対し、引用例１第２欄８〜１１行には「そして冷蔵室Ａ内の温度が所定の低温度になると前記サーモスタツト９が開放して電動圧縮機１および両送風機７，８の運転を停止させて冷却運転を停止する」と同様な内容が開示されている。
　
　したがって、両発明の一致点・相違点は以下の通りであると認められる。
《一致点》
「各々独立区画されて分離された冷凍室及び冷蔵室と、冷媒を圧縮して供給する圧縮機と、圧縮された冷媒を凝縮する凝縮機と、凝縮された冷媒を膨張させる毛細管と、前記冷凍室に設置された、所定容量の第１の蒸発器と、前記冷蔵室に設置された、所定容量の第２の蒸発器と、前記第１の蒸発器に隣接して設置され、電源印加時に前記冷凍室内の冷気循環を誘導する第１のファンと、前記第２の蒸発器に隣接して設置され、電源印加時に前記冷蔵室内の冷気循環を誘導する第２のファンと、前記圧縮機、第１のファン及び第２のファンが、それぞれ並列に接続される電源と、前記圧縮機、第１のファン及び第２のファンの前記電源との接続を制御するスイッチ手段と、により構成された高効率独立冷却サイクルを持つ冷蔵庫の運転制御方法において、
　比較結果に基づいて、前記スイッチ手段の作動を制御することにより、前記圧縮機、第１のファン及び第２のファンの作動を制御する段階と
　を有する高効率独立冷却サイクルを持つ冷蔵庫の運転制御方法。」
　
《相違点１》
本願の請求項４に係る発明では、「冷凍室に設置され、前記毛細管から流出した冷媒の一部を蒸発させる所定容量の第１の蒸発器と、冷蔵室に設置され、前記第１の蒸発器から流出した冷媒を、蒸発していない残りを蒸発させて圧縮機へ戻す所定容量の第２の蒸発器と、」を具備するのに対し、
　引用例１に記載された発明では、２つの蒸発器（冷蔵室用蒸発器４および冷凍室用蒸発器６）が、このような冷媒の流れを可能とする順になっていない点。
　
《相違点２》
　本願の請求項４に係る発明では、
「冷凍室又は冷蔵室のいずれか一方の室の温度を設定する温度設定手段と、温度が設定された前記一方の室に設置され、温度を感知する温度感知手段とにより構成された冷却サイクルを持つ冷蔵庫の運転制御方法において、前記温度感知手段によって感知された温度を、前記温度設定手段によって設定した温度と比較する段階を有する冷蔵庫の運転制御方法。」であるのに対し、
引用例１に記載された発明では、「サーモスタツト９」には、第２図の記載からも明らかなようにスイッチの機能があるが、温度設定手段や温度感知手段は示されておらず、したがって、温度感知手段によって感知された温度を、温度設定手段によって設定した温度と比較していない点。
　
《相違点３》
　本願の請求項４に係る発明では、
「温度感知手段からの温度感知信号を所定時間毎に読み込む段階」
を持つのに対し、引用例１に記載された発明では、この段階が示されていない点。
　
　以下、上記相違点１〜３について検討する。
《相違点１について判断》
　冷媒の流れにそって、毛細管→冷凍室用蒸発器→冷蔵室用蒸発器→圧縮機の順に接続する技術は、
　　特開昭６１−３８３７９号公報（特に第２図参照。）
　　特開昭５２−４８１４５号公報（特に第２図参照。）
　　特開昭４７−２３９４３号公報（特に第２図参照。）
　　実公昭４４−６８２号公報（特に第１図参照。）
等にも記載されているように周知のものにすぎない。このような、本願の優先日前の技術水準を考慮すると、相違点１における本願の請求項４に係る発明の構成は、容易に想到し得る範囲内の事項にすぎない。
　
《相違点２についての判断》
　サーモスタツトが、温度設定手段や温度感知手段を持つこと、あるいは、この温度感知手段によって感知された温度と、温度設定手段によって設定した温度との比較情報に基づいて、制御することは、
　　特開昭６３−１５０７６号公報（特に、第２ページ左下欄１１〜１６行、および同欄１７行〜同ページ右下欄２行参照。）
　　実願昭５８−１８９３６８号（実開昭６０−９６５８４号）のマイクロフイルム（特に、明細書第２ページ９〜１３行参照。）
　　実願昭５５−７８１３７号（実開昭５７−２３９６号）のマイクロフイルム（特に、明細書第１ページ最終行〜第２ページ１行参照。）
　　実願昭５４−１１８０１２号（実開昭５６−３６０８９号）のマイクロフイルム（特に、明細書第２ページ１２〜１５行、第３ページ２，３行、および同ページ１１〜１３行参照。）
　　実公昭４７−１５７３５号公報（特に、第２欄７〜１０行、および、同欄２６，２７行参照。）
　　実公昭４４−１９９７３号公報（特に、第２欄１７〜２３行、および、同欄３７〜３９行参照。）
　　実公昭４４−６８２号公報（特に第１ページ右欄１５，１６行、第２ページ左欄６〜１０行）
を参照。）
等にも記載されているように周知の事項にすぎない。　このような、本願の優先日前の技術水準を考慮すると、相違点２における請求項４に係る発明の構成は、容易に想到し得る範囲内の事項にすぎない。　
　
《相違点３について判断》
　上記引用例２第５ページ左下欄１〜１５行には「前記Ｆサーミスタ１４および　〜　各室の冷却状態を維持する。」と記載されており、この記載中には「前記Ｆサーミスタ１４およびＲサーミスタ１５は、・・・（中略）・・・冷凍室温度および冷蔵室温度を検知し、それを抵抗値としてマイクロコンピュータ１２に与える。」と開示されている。しかも、マイクロコンピュータにおいては、検知された情報の信号を読み込む場合、「所定時間毎に読み込む」ことは周知の事項にすぎない。
　したがって、相違点３における、請求項４に係る発明の構成である「温度感知手段からの温度感知信号を所定時間毎に読み込む段階」と、実質的に同一な内容は引用例２に記載されている。
　
　また、本願の請求項４に係る発明の効果は、上記引用例１，２に記載された事項から当業者が容易に予測できる程度のものである。
　
　このように、本願の請求項４に係る発明は、引用例１に記載された発明に、引用例２に記載された発明を組み合わせることにより当業者が容易になし得るものである。
　
（５）請求項５に係る発明について
　本願の請求項５に係る発明は、請求項４記載の「高効率独立冷却サイクルを持つ冷蔵庫の運転制御方法。」を「前記比較結果において感知温度が設定温度より高い場合、前記圧縮機、第１のファン及び第２のファンの作動を誘導する段階を有することを特徴とする」と限定するものである。
　しかし、引用例１第１欄３４〜３８行には「９は冷蔵室Ａ内の温度を検出して前記電動圧縮機１および前記各送風機７，８を運転制御するサーモスタットで、冷蔵室Ａおよび冷凍室Ｂを所定の低温度保つものである。」と記載されており、第２欄１４〜２０行には「サーモスタット９が閉じると電動圧縮機１および　〜　極めて低速回転を続けるとともに」と記載されている。また、第２図の記載から、サーモスタット９が閉じると、電動圧縮機１，冷凍室用送風機７および冷蔵室用送風機８が同時に運転することは自明である。
　したがって、本願の請求項５に記載された上述の限定と同様な内容は、引用例１に開示されており、同項に係る発明は、引用例１に記載された発明に、引用例２に記載された発明を組み合わせることにより当業者が容易になし得るものである。
　
（６）請求項６に係る発明について
　本願の請求項６に係る発明は、「高効率独立冷却サイクルを持つ冷蔵庫の運転制御方法。」を「前記比較結果において感知温度が設定温度より低い場合、前記圧縮機、第１のファン及び第２のファンの作動を停止せしめる段階を有することを特徴とする」と限定するものである。
　しかし、引用例１第１欄３４〜３８行には「９は冷蔵室Ａ内の温度を検出して前記電動圧縮機１および前記各送風機７，８を運転制御するサーモスタットで、冷蔵室Ａおよび冷凍室Ｂを所定の低温度保つものである。」と記載されており、第２欄８〜１１行には「冷蔵室Ａ内の温度が所定の低温度になると前記サーモスタット９が開放して電動圧縮機１および両送風機７，８の運転を停止させて冷却運転を停止する」と記載されている。
　したがって、本願の請求項６に記載された上述の限定と同様な内容は、引用例１に開示されており、同項に係る発明は、引用例１に記載された発明に、引用例２に記載された発明を組み合わせることにより当業者が容易になし得るものである。
　
　
５．むすび
　以上のとおりであるから、本願の請求項１〜３に係る発明は引用例１に記載された発明に基づいて、本願の請求項４〜６に係る発明は引用例１および引用例２に記載された発明に基づいて、それぞれ当業者が容易になし得るものであるから、特許法第２９条第２項の規定により特許を受けることができない。
　よって、結論のとおり審決する。